(57)【要約】      （修正有）【課題】  熱交換器のためのヘッダ／タンク組立体に使用するガスケットウエル／ガスケット組立体をガスケットウエル内に適正に配置することによって、封止欠陥のない継ぎ手を提供する。【解決手段】  ガスケットウエル／ガスケットの組立体３０は基壁３６とそこから起立する側壁３８を有し、側壁は上に延びて開放する幅Ｗのスロット４０を有する。組立体はさらにガスケットウエル３２に受容されて基壁３６と相手方部材との間に封止継ぎ手を形成するように圧縮されるエラストマーガスケット３４を含む。ガスケットは封止用ビード５０とそこから外方に延び末端６４に終端するタブ６２を有する位置決め部材５２を備えている。タブの横幅ｗは末端６４に向けて拡大しない。横幅ｗは未変形状態でスロットＷよりも大きい。ガスケットはガスケットウエルに受容され、その際にタブはスロット内でその横幅方向から締め付けられてガスケットをガスケットウエル内に保持する。【選択図】  図２
2006098048.tif 000002
【特許請求の範囲】
【請求項１】
熱交換器用のヘッダ／タンク組立体に使用するガスケットウエル／ガスケットの組み合わせにおいて、前記組み合わせは、
熱交換器用のヘッダ／タンク組立体のヘッダ板及びタンクの一方に形成された、基壁とそこから上に延びている外周側壁からなるほぼ長方形の輪郭を有するガスケットウエルであって、該側壁は該ガスケットウエルに沿って互いに離間した上が開放している一対のスロットを有し、該スロットの一方は前記ガスケットウエルの第１の隅部に位置し、該スロットの他方は前記第１の隅部に対向した位置に第２の隅部に位置し、前記各スロットはスロット幅Ｗを有している前記ガスケットウエルと、
前記ガスケットウエルに受容され、前記基壁と前記ヘッダ板間及びタンクの他方との間で圧縮されてタンクをヘッダ板に封止するように形成されているエラストマーガスケットであって、該ガスケットは封止用ビードとそれに沿って互いに離間している一対の対向した位置決め部材を備え、該位置決め部材の各々は封止用ビードから外側へ延びたタブを有し、該タブは該タブが変形しない状態で、前記ビードから前記タブの末端まで増大しない横幅であって、スロット幅Ｗよりも大きい横幅を有し、前記ガスケットは装着状態では前記ガスケットウエルに受容され、前記各タブはその横幅方向から前記スロットにより挟み込まれてガスケットをガスケットウエルに保持している前記エラストマーガスケットと、
を含むガスケットウエル／ガスケットの組み合わせ。
【請求項２】
前記位置決め部材はさらに前記封止用ビードと前記タブの間に肩部を有し、該肩部は前記ガスケットの装着状態において対応する前記スロットに隣接した外周側壁に衝接して前記ガスケットウエル内の前記ガスケットを位置決めをしている請求項１の組み合わせ。
【請求項３】
前記タブの横幅は前記肩部から前記タブの末端に向けて減少している請求項２の組み合わせ。
【請求項４】
前記各タブは先細である請求項１の組み合わせ。
【請求項５】
前記ガスケットの前記ガスケットウエルに対する相対寸法は、前記封止用ビードが前記装着状態で張力を受けるように規定されている請求項１の組み合わせ。
【請求項６】
前記ガスケットはさらに対向配置された他の一対の位置決め部材を有し、これら他の一対の位置決め部材は各々前記封止用ビードから外向きに延びたタブを有し、該タブは前記封止用ビードから該タブの末端まで横幅が増大せず、この横幅はタブが変形しない状態ではスロット幅Ｗよりも大きい幅を有し、
前記側壁はまた上に開放する他の一対のスロットを有し、該他の一対のスロットに前記他の一対の位置決め部材の前記タブを受け入れ、そしてこの他の一対の位置決め部材のうちの一方の該タブは前記ガスケットウエルの第３の隅部に位置づけられ、これら他の一対の位置決め部材のうちの他方の該タブは前記ガスケットウエルの前記第３の隅部と対向する第４の隅部に位置づけられ、かつこれら他の一対のスロットはスロット幅Ｗを有する、請求項１の組み合わせ。
【請求項７】
熱交換器用のヘッダ／タンク組立体に使用されるガスケットウエル／ガスケットの組み合わせにおいて、該組み合わせは、
ヘッダ／タンク組立体のヘッダ板及びタンクの一方に設けられたほぼ長方形の輪郭を有し、基壁と該基壁から上方に延びる外周側壁とにより画定されているガスケットウエルであって、該外周側壁は該ガスケットウエルに沿って互いに離間した一対の上方に開放するスロットを有し、該各スロットはスロット幅Ｗをする前記ガスケットウエルと、
前記ガスケットウエルに受容され且つ前記基壁とヘッダ板及びタンクの他方との間で圧縮されて封止を行うように形成されたエラストマーガスケットであって、該ガスケットは封止用ビードと該ビードに沿って離間した一対の位置決め部材を含み、該各位置決め部材は肩部とそこから外側に向けて末端に延びるタブを有し、該各タブは前記肩部から前記末端に向けて増大しない横幅を有し、前記タブの横幅は変形しない状態では前記スロット幅Ｗよりも大きく、前記ガスケットは装着状態では前記ガスケットウエルに受容でき、前記各タブは前記スロットの対応する１つに幅方向から挟み込まれる、前記ガスケットと、
を含む組み合わせ。
【請求項８】
前記各位置決め部材はさらに前記封止用ビードと前記タブとの間に肩部を有し、前記肩部は前記側壁の前記スロットに隣接した部分に衝接し、それにより装着状態で前記ガスケットウエル内の所定位置に前記ガスケットを位置づけるようになっている請求項７の組み合わせ。
【請求項９】
前記各タブの横幅は前記肩部から前記末端に向けて減少している請求項８の組み合わせ。
【請求項１０】
前記ガスケットはさらに他の一対の対向配置された位置決め部材を有し、これら他の位置決め部材は各々肩部とそこから外向きに延びるタブを有し、該タブはビードから前記タブの末端に向けて増大しない横幅を有し、この横幅はタブが変形しない状態では前記スロット幅Ｗよりも大きい幅を有する請求項８の組み合わせ。
【請求項１１】
前記ガスケットは前記ガスケットウエルに対する相対寸法が、前記封止用ビードが装着状態で張力を加えられるように規定されている請求項７の組み合わせ。
【請求項１２】
熱交換器用のヘッダ／タンク組立体に使用するガスケットウエル／ガスケットの組み合わせにおいて、前記組み合わせは、
熱交換器用のヘッダ／タンク組立体のヘッダ板及びタンクの一方に形成された、基壁とそこから上に延びている外周側壁を有するガスケットウエルであって、該側壁は互いに離間した上が開放している４つのスロットを有し、該各スロットは前記ガスケットウエルの対応する各隅部に位置し、前記各スロットはスロット幅Ｗを有してる前記ガスケットウエルと、
前記ガスケットウエルに受容され、前記基壁と前記ヘッダ板間及びタンクの他方との間で圧縮されてタンクをヘッダ板に封止するように形成されているエラストマーガスケットであって、該ガスケットは４つの位置決め部材を備え、該位置決め部材の各々は肩部と該肩部から外側へ延びたタブを有し、該タブは、前記肩部から前記タブの末端まで増大しない横幅であって、該タブが変形しない状態ではスロット幅Ｗよりも大きい横幅を有し、前記ガスケットは装着状態では前記ガスケットウエルに受容され、前記各タブはその横幅方向から対応した前記スロットにより挟み込まれてガスケットをガスケットウエルの所定位置に保持している前記エラストマーガスケットと、を含むガスケットウエル／ガスケットの組み合わせ。
【請求項１３】
前記各タブは前記肩部から前記末端までテーパしている請求項１２の組み合わせ。
【請求項１４】
前記ガスケットはガスケットウエルに対する相対寸法が、前記装着状態で張力を加えられるように規定されている請求項１２の組み合わせ。
【請求項１５】
封止継ぎ手を形成する相手部材と共に使用するためのガスケットウエル／ガスケット組み合わせにおいて、
基壁とそこから上に延びる側壁とよりなり、該側壁には上に開放するスロット幅Ｗのスロットが設けられているガスケットウエルと、
前記ガスケットウエルに受容され、前記基壁と前記相手部材との間で圧縮されて前記封止継ぎ手を形成するエラストマーガスケットであって、該ガスケットは肩部と該肩部から外側へ延びたタブよりなる位置決め部材を備え、該位置決め部材は前記肩部から前記タブの末端まで増大しない横幅であって変形しない状態ではスロット幅Ｗよりも大きい横幅を有し、前記ガスケットが前記ガスケットウエルに受容されると前記タブはその横幅の方向から前記スロットにより挟み込まれ、前記肩部が前記側壁の前記スロットに隣接した部分に衝接されるように構成された前記エラストマーガスケットと、
を含むガスケットウエル／ガスケットの組み合わせ。
【請求項１６】
前記タブの横幅は前記末端に向けて減少する請求項１５の組み合わせ。
【請求項１７】
前記ガスケットはさらに、肩部と該肩部から外方に延びるタブとを有する他の少なくとも１個の位置決め部材を有し、前記タブは前記肩部から前記タブの末端に向けて増大しない横幅を有し、前記横幅は前記タブが変形しない状態では前記スロット幅Ｗよりも大きい横幅を有し、
前記側壁はさらに他の少なくとも１つの上に開放するスロット幅Ｗのスロットを有し、前記他の少なくとも１個の位置決め部材の前記タブを受容するように構成されている請求項１５の組み合わせ。
【請求項１８】
封止継ぎ手を形成する相手部材と共に使用するためのガスケットウエル／ガスケット組み合わせにおいて、
基壁とそこから上に延びる側壁とよりなり、該側壁には上に開放するスロット幅Ｗのスロットが設けられているガスケットウエルと、
前記ガスケットウエルに受容され、前記基壁と前記相手部材との間で圧縮されて前記基壁と前記相手部材との間を封止するように形成されているエラストマーガスケットであって、該ガスケットは封止用ビードと該封止用ビードから外側へ延びたタブよりなる位置決め部材を備え、前記タブは前記肩部から前記タブの末端まで増大しない横幅であって変形しない状態ではスロット幅Ｗよりも大きい横幅を有し、前記ガスケットが前記ガスケットウエルに保持されると前記タブはその横幅の方向から前記スロットにより挟み込まれるように構成された前記エラストマーガスケットと、
よりなるガスケットウエル／ガスケットの組み合わせ。
【請求項１９】
前記タブの横幅は前記封止用ビードから前記末端まで減少している請求項１８の組み合わせ。
【請求項２０】
前記ガスケットはさらに、前記封止用ビードから末端まで外方に延びるタブを有する他の少なくとも１個の位置決め部材を有し、前記タブは前記封止用ビードから前記末端に向けて増大しない横幅を有し、前記横幅は前記タブが変形しない状態では前記スロット幅Ｗよりも大きい横幅を有し、
前記側壁はさらに他の少なくとも１つの上に開放するスロット幅Ｗのスロットを有し、該スロットは前記他の少なくとも１個の位置決め部材の前記タブを受容するように構成されている請求項１８の組み合わせ。
【請求項２１】
前記ガスケットは、前記ガスケットウエルに対する相対寸法が、封止用ビードが装着状態で張力を受けないように規定されている請求項１の組み合わせ。
【請求項２２】
前記ガスケットは、前記ガスケットウエルに対する相対寸法が、封止用ビードが装着状態で張力を受けないように規定されている請求項７の組み合わせ。
【請求項２３】
前記ガスケットは、前記ガスケットウエルに対する相対寸法が、封止用ビードが装着状態で張力を受けないように規定されている請求項１２の組み合わせ。
【発明の詳細な説明】
【技術分野】
【０００１】
本発明はガスケット又はシール、及びそれらに関連したガスケット又はシール用チャンネル、溝又はウエル（凹入部）に関し、さらに詳しくは熱交換器のヘッダ／タンク組立体に使用されるこれらの構造に関する。
【背景技術】
【０００２】
放熱器のようなある種の熱交換器の構造では、エラストマーシール又はガスケットをヘッダ板の溝、チャンネル又はウエルに挿入し、次いでヘッダ板とタンクの間で圧縮してヘッダ板とタンクの間の封止又は密封を行うことにより、ヘッダ／タンク組立体を提供することが一般的である。このような構造に関連する一つの問題は、ガスケットがそれを受容する溝内に適正に配置されず、最終的には関連した継ぎ手部の封止欠陥を生じて漏洩に至るところの、ガスケットウエルからのガスケット外れ（ＧＯＷ）と呼ばれる欠陥形態である。ガスケットが短いために受容溝の内壁にガスケットが乗り上げるが、タンク／ヘッダ組立体の組立状態では外から見えないため、この状態はしばしば生じる。この問題を解決するには多数の方法がある。一つの方法は組立中にガスケットを適正位置に仮着するために適当なガスケット用の潤滑剤又はシールコンパウンドを使用することである。しかし、この方法は信頼性を欠くことが多い。他の方法はドイツ特許公開ＤＥ４２４３４９５Ａ１に示されているように、ガスケットウエルの側壁に形成されたスロットに嵌る位置決めタブをガスケットに設けることである。この方法は良好であるが改善の余地がある。
【発明の開示】
【発明が解決しようとする課題】
【０００３】
本発明は、受容溝の内壁へのガスケットが乗り上げ、ガスケット用の潤滑剤又はシールコンパウンドを使用による信頼性の欠如等の従来のガスケットの問題点を解決することを課題とする。
【課題を解決するための手段】
【０００４】
本発明の１つの特徴に従って、熱交換器用のヘッダ／タンク組立体に使用するガスケットウエル／ガスケットの組み合わせが提供される。本発明の組み合わせ構造は、熱交換器用のヘッダ／タンク組立体のヘッダ板及びタンクの一方に形成されたほぼ長方形の輪郭を有するガスケットウエルを含む。ガスケットウエルは基壁とそこから上に延びている外周側壁から形成されている。側壁はガスケットウエルに沿って互いに離間した上が開放しているスロット幅Ｗの一対のスロットを有する。組み合わせはさらに、ガスケットウエルに受容されて基壁とヘッダ板及びタンクの他方との間で圧縮されてタンクをヘッダ板に封止するように形成されているエラストマーガスケットを含む。ガスケットは封止用ビードとそれに沿って互いに離間している一対の位置決め部材を備えている。各位置決め部材は封止用ビードから外側へ延びたタブを有し、タブは、タブが変形しない状態で、ビードからタブの末端まで増大しない横幅であって、スロット幅Ｗよりも大きい横幅ｗを有する。ガスケットは装着状態ではガスケットウエルに受容され、各タブはその横幅の方向からスロットにより挟み込まれてガスケットをガスケットウエルに保持する。
【０００５】
本発明の１つの特徴によると、一方のスロットはガスケットウエルの第１の隅部に位置づけられ、他方のスロットは第１の隅部と直径を挟んで対向する第２の隅部に位置づけられる。位置決め部材は、ガスケットウエルのこれらの隅部の位置に対応して、封止ビードに沿った互いに対向した位置に配置されている。
【０００６】
本発明の１つの特徴では、各位置決め部材はさらに封止用ビードとタブの間に配置された、対応するスロットに隣接した側壁に衝接している肩部を有し、それによりガスケットの装着状態でガスケットをガスケットウエルに適正に位置づける。
【０００７】
本発明の一つの特徴として、タブの横幅は肩部から末端に向けて減少する。
【０００８】
本発明の一つの特徴では、ガスケットは、封止用ビードが装着状態で張力を受けるように、ガスケットウエルに対する相対寸法が規定されている。
【０００９】
本発明の一つの特徴によると、ガスケットはさらに他の一対の対向配置された位置決め部材を有する。これら他の位置決め部材は各々封止用ビードからタブ末端に向けて外向きに延びたタブを有する。タブはビードからタブ末端まで横幅が増大しない。この横幅はタブが変形しない状態ではスロット幅Ｗよりも大きい幅を有する。側壁はまた上に開放する他の一対のスロットを有しており、そこに前記他の一対の位置決め部材のタブを受け入れ、そしてこの他の一対の位置決め部材の一方のタブはガスケットウエルの第３の隅部に位置づけられ、これら他の一対の位置決め部材の他方のタブはガスケットウエルの第３の隅部と対向する第４の隅部に位置づけられる。これら他の一対のスロットはスロット幅Ｗを有する。
【００１０】
本発明の他の特徴によると、ガスケットウエル／ガスケットの組み合わせは熱交換器用のヘッダ／タンク組立体で使用される。この組み合わせにはヘッダ／タンク組立体のヘッダ板及びタンクの一方にほぼ長方形の輪郭を有するガスケットウエルを備えている。ガスケットウエルは基壁と基壁から上方に延びる側壁とにより画定されている。側壁は４つの上方に開放するスロットを有し、各スロットはガスケットの対応した隅部に位置付けられ、スロット幅Ｗを有する。この組み合わせはさらにガスケットウエルに受容され且つ基壁とヘッダ板及びタンクの他方との間で圧縮されて封止を行うように形成されたエラストマーガスケットを含む。ガスケットは４つの位置決め部材を含み、各位置決め部材は肩部とそこから外側に向けて延びるタブを有する。各タブは肩部からタブ末端に向けて増大しない幅を有し、タブの横幅は変形しない状態ではスロット幅Ｗよりも大きい。ガスカットは装着状態ではガスケットウエルに受容でき、各タブは横幅を横切って対応する１つのスロットに挟み込まれ、そして肩部はガスケットウエル内にガスケットを適正に位置づけるように対応したスロットに近接した側壁に衝接している。
【００１１】
本発明の他の特徴によると、各タブは肩部から末端に向けてテーパしている。
【００１２】
本発明の一つの特徴では、ガスケットウエル／ガスケットの組み合わせは相手部材と共に使用されて封止状態を形成する。組み合わせは基壁とそこから上に延びる側壁により形成されるガスケットウエルを含み、この側壁には上に開放するスロット幅Ｗのスロットが形成されている。この組合せはさらにガスケットウエルに受容されるように形成されたエラストマーガスケットを含む。ガスケットは基壁と相手部材との間で圧縮されて密封された結合部を形成する。ガスケットは封止用ビードとそこから外方に延びるタブを有する。タブは封止用ビードからタブの末端に向けて減少しない横幅を有する。横幅はタブが変形しない状態ではスロットの幅よりも大きい。ガスケットはガスケットウエルに受容され、一方タブはスロット内に挟み込まれガスケットをガスケットウエル内に保持する。
【００１３】
本発明の他の特徴によると、ガスケットはさらに他の少なくとも１つの位置決め部材を有し、位置決め部材は肩部とそこから外方に延びているタブを有する。タブは肩部からタブの末端に向けて減少しない横幅を有する。横幅は変形しない状態ではスロット幅Ｗよりも大きい。側壁はさらに他の少なくとも１つの上に開放するスロット幅Ｗを有するスロットを有し、前記他の少なくとも１つの位置決め部材のタブを受け入れている。
【００１４】
本発明の１つの特徴によると、封止継ぎ手を形成する相手部材と共に使用するためのガスケットウエル／ガスケット組み合わせが提供される。組み合わせは基壁とそこから上に延びる側壁とよりなるガスケットウエルを含み、該側壁には上に開放するスロット幅Ｗのスロットが設けられている。組合せはさらに前記ガスケットウエルに受容され、前記基壁と前記相手部材との間で圧縮されて前記基壁と前記相手部材との間を封止するように形成されているエラストマーガスケットを含む。ガスケットは封止用ビードと該封止用ビードから外側へ延びたタブよりなる位置決め部材を備え、前記タブは前記肩部から前記タブの末端まで増大しない横幅であって変形しない状態ではスロット幅Ｗよりも大きい横幅を有し、前記ガスケットが前記ガスケットウエルに保持されると前記タブはその横幅方向から前記スロットにより挟み込まれるように構成されている。
【００１５】
一つの特徴では、ガスケットはさらに、封止用ビードから外向きに延びるタブを有する他の少なくとも１つの位置決め部材を有する。タブは封止用ビードからタブの末端に向けて横幅が増大しない。タブの横幅は変形しない状態ではタブの横幅Ｗよりも大きい。側壁は更に他の少なくとも１つの上に開放したスロット幅Ｗのスロットを有し、前記の他の少なくとも１つの位置決め部材のタブをそこに受け入れる。
【００１６】
本発明の他の目的、特徴、及び効果は図面及び請求の範囲を含めて本明細書全体から明らかになろう。
【発明を実施するための最良の形態】
【００１７】
図１を参照するに、熱交換器１０は作業流体を集め及び／又は複数の熱交換チューブ１４の内部へ分配するヘッダ／タンク組立体１２を示す。熱交換器はチューブは熱をチューブ１４間を延びているフィン１６のところを流通する第２流体へ伝達する。組立体１２はタンク１８と長方形ヘッダ板２０とを有し、ヘッダ板２０はチューブ１４の端部を封止状態で受ける複数のチューブスロット２２を有する。ここでは本発明を具体化するガスケットウエル／ガスケットの組み合わせは熱交換器１０での使用に関連して説明され、特にこうした構造で使用されるが、本発明の組み合わせは、図１に示した熱交換器１０以外の熱交換器でない用途及び熱交換器での使用など、封止継ぎ手が必要な他の多くの用途に使用できる。従って、特許請求の範囲において明記されない限り、本発明は熱交換器に限定されず、又特定の形式の熱交換器での使用には限定されない。
【００１８】
図２を参照すると、ヘッダ板２０の内側部は、本発明を具体化するガスケットウエル／ガスケットの組み合わせ３０を含んでいる。組み合わせ３０はガスケットウエル３２と、ガスケットウエル３２に受容されるように形成されたエラストマーガスケット３４とを有する。ここに「ガスケットウエル」とはシール材又はガスケットを受け容れて２つの組み立てられる部材間に封止継ぎ手又は結合部を形成するガスケットチャンネル又は溝のような任意の構造を指す。またここに「エラストマーガスケット」とは組み立てられる２つの部材間に封止継ぎ手又は結合を形成するようにガスケットウエルに受容される弾性シール材又はガスケットを指す。
【００１９】
組み合わせ３０はガスケットウエル３２が形成されているヘッダ板２０上に設けられているものとして図示されているが、ある用途では組み合わせ３０をガスケットウエル３２が設けられているタンク上に設けられることが望ましい場合がある。
【００２０】
図２〜４を参照するに、ガスケットウエル３２は四隅部３５（図２では１つの隅のみを図示）を有するほぼ長方形の輪郭を有し、そして平らな基壁３６と、基壁３６から上に延びる外周側壁３８とを備える。側壁３８は４つの上に延びる開放スロット４０（図２と図６では１つのみ図示）を有し、それら各スロットはガスケットウエル３２の各隅部３５（図２と図６では１つのみ図示）に配置されている。図４に示したように、各スロット４０はスロット幅Ｗを有する。
【００２１】
エラストマーガスケット３４はガスケットウエル３２に受容され、基壁３６とタンク１８のような相手部材の間で圧縮されるような形状を有する。図５に示したように、ガスケット３４はさらにガスケットウエル３２の長方形輪郭に一致する４隅部５１を有する長方形の封止用ビード５０を含む。ガスケット３４はさらにガスケットの各隅部５１に位置した４つの位置決め部材５２を備えている。封止用ビード５０は基壁３６とタンク１８のような相手側部材との間で圧縮されて封止継ぎ手を形成する。封止用ビード５０は適当な形状を有し、図示例では円形断面を有する円筒形のものである。しかし、他の用途ではビード５０として多くは公知の他の形状及び又は断面を有するものが所望されることを理解すべきである。
【００２２】
図６〜７に示したように、各位置決め部材５２は好ましくは肩部６０とそこから外方へ延びて末端６４に終端するタブ６２を有する。タブ６２は肩部６０から末端６４まで横幅ｗが増大しない。好ましくはタブ６２は横幅ｗの個所が肩部６０から末端６４までテーパすることにより、図６に示したようにわずかに先細になっている。横幅ｗは図５〜７に示した未変形状態ではスロット幅Ｗよりも広い。
【００２３】
図２を参照するに、ガスケット３４は図２に示した装着状態でガスケットウエル３２に受容され、各タブ６２は対応した１つのスロット４０内で横幅ｗの方向に挟み込まれ、その肩部６０は側壁３８のスロット４０に隣接した部分に衝合する。ガスケット３４は、ガスケット３４をガスケットウエル３２に挿入し、次いで各位置決め部材５２に対して、その肩部６０を側壁３８に衝合させるようにタブ６２を引き延ばして横幅ｗを減少させ、タブ６２をスロット４０に押し込み、タブ６２をスロット４０内で横幅ｗの方向から夾み付けることにより組み立てられる。タブ６２とスロット４０がこのように夾み付け又は干渉嵌めの関係にあると、ガスケット３４はガスケットウエル３２に保持され、他方、肩部６０が側壁３８に衝合関係にあると、ガスケットウエル３２内にガスケット３４が適正に位置決め又は芯合わせされる。この点に関して、ガスケットの封止用ビード５０の全長がガスケットウエル３２の長さよりも短い場合には、本発明の他の位置決め部材を追加する。この場合、タブ６２をスロット４０に挟み込む能力はガスケットを張力状態に置く。実際、一対の位置決め部材５２の間における封止用ビード５０の長さが、位置決め部材５２を受け入れる対応するスロット４０間の間隔よりも短かければ、封止用ビード５０は張力状態に置かれる。
【００２４】
しかし、ある用途では、ガスケットは装着状態で張力が加わらないこと、すなわち、ガスケット３４がガスケットウエル３２内にあってタブ６２がスロット４０内に挟み込まれている状態で、ガスケット３４は自然の伸張しない形態にあることが望ましいことがあることに注意すべきである。
【００２５】
ガスケット３４の１つの利点は図５からよく理解できる。各位置決め部材５２は肩部６０とタブ６２を含み、タブ６２は封止用ビード５０からほぼ放射方向外向きに延び、増大しない横幅、好ましくは末端に向けてわずかにテーパして減じる横幅を有する。この構造はガスケット３４を成形ダイに対する引っ張り方向が放射状であるいわゆるマンドレル成型法により形成することを可能にする点で有利である。或る場合には、マンドレル成型法は従来の他の方法例えば軸方向（図５の上下方向）伸張射出成型法または圧縮成型法よりも安価にガスケット３４を成形することができると思われる。しかし、この構造は、ダイの引っ張り方向が軸方向（図５の上下方向）である射出成形及び圧縮成型法等の他の方法と両立できる点で有利である。この点について、ドイツ特許公開ＤＥ４２４３４９５Ａ１の背景の説明部分で検討されている構造は成形ダイに対して放射方向の引っ張りを可能にしないのでマンドレル成型法とは両立しない。
【００２６】
各位置決め部材５２はガスケットウエル３２内で封止用ビード５０の適正な位置決めないし芯合わせを確保するための肩部６０を含んでいることが好ましいが、ある用途では肩部６０は一部又は全部の位置決め部材５２から除くことが望まれる場合がある。例えば、ガスケットウエル３２が封止用ビード５０の位置の遊びを余り許容しない場合には、肩部６０は要求されないであろう。
【００２７】
例示のガスケットウエル３２及びガスケット３４は長方形の輪郭を有するが、組み合わせ３０はガスケットウエル３２及びガスケット３４に対する他の任意の形状、例えば多角形、円形、楕円形、不規則形、扇形等の他の形状を有することができる。さらに、ガスケット３４は位置決め部材５２とそれに関連して各隅部３５、５１に設けられたスロット４０を有するものを例示したが、ある用途では位置決め部材５２とそれに関連するスロット４０を有しない隅部３５、５１を有することが望まれる場合がありうる。例えば、ある用途では位置決め部材５２とそれに関連するスロット４０が対角線上に対向する２つの隅部５１のみに設けることが有利である。加えるに、図２〜６に例示した組み合わせ３０の実施例では、スロット４０と位置決め部材５２が各隅部４２、５２に整列して配置されるが、これらの位置決め部材５２とスロット４０は図８に示した位置のように隅部４２、５４の異なった位置に配置することが有利な場合がある。同様に１つ以上の位置決め部材５２と関連スロット４０を封止用ビード５０及び関連側壁３８の直線部分又は隅部以外の個所に設けることが望まれる用途がある。
【００２８】
ここに記載したガスケットウエル／ガスケットの組み合わせ３０は、位置決め部材５２と関連スロット４０の間の相互作用により提供される夾み付け又は係止作用により、ガスケット３４を確実に又は適正に位置決めできる。ヘッダ／タンク組立体に適用するとき、組み合わせ３０はガスケット３４がガスケットウエル３２から引き外されて、いわゆる外れ（ＧＯＷ）欠陥形態となることを阻止することができる。
【００２９】
さらに、タブ６２がヘッダ板２０の外側に突出するので、タブ６２はタンク１８がヘッダ板２０に組み込まれ、またヘッダ／タンク組立体１２がチューブ１４とフィン１６に組み込まれた後にも、ガスケット３４が適正に装着されているかどうかを視覚的に示すことができる。
【図面の簡単な説明】
【００３０】
【図１】本発明を具体化したガスケットウエル／ガスケットの組み合わせを設けたヘッダ／タンク組立体を備えた熱交換器の正面図である。
【図２】本発明を具体化したガスケットウエル／ガスケットの組み合わせを含む図１の熱交換器のヘッダ板の斜視図である。
【図３】図２のガスケットウエルの１つの隅部の斜視図である。
【図４】図３の線４−４から見た図である。
【図５】図２のガスケットの平面図である。
【図６】図５の線６−６により囲まれた円形領域の拡大図である。
【図７】図６の線７−７から見た図である。
【図８】本発明を具体化したガスケットウエル／ガスケットの組み合わせのタブとスロットに対する別の隅部位置を示す平面図である。
【符号の説明】
【００３１】
１０  熱交換器
１２  ヘッダ／タンク組立体
１４  熱交換チューブ
１６  フィン
１８  タンク
２０  ヘッダ板
２２  チューブスロット
３０  ガスケットウエル／ガスケットの組み合わせ３０
３２  ガスケットウエル
３４  エラストマーガスケット
３５  隅部
３６  基壁
３８  外周側壁
４０  開放スロット
５０  封止用ビード
５１  隅部
５２  位置決め部材
６０  肩部
６２  タブ
６４  末端
【図１】
2006098048.tif 000003
【図２】
2006098048.tif 000004
【図３】
2006098048.tif 000005
【図４】
2006098048.tif 000006
【図５】
2006098048.tif 000007
【図６】
2006098048.tif 000008
【図７】
2006098048.tif 000009
【図８】
2006098048.tif 000010